(57)【特許請求の範囲】
【請求項１】
画素が配列された平面視での形状が方形形状の画面エリアを有する液晶表示素子と、
前記画面エリアに対向するように配置された１つのみの導光板と、
前記画面エリアのうちの第１の領域に対応させて発光する第１の発光素子と、
前記画面エリアのうちの前記第１の領域とは異なる第２の領域に対応させて発光する第２の発光素子と、
前記第１の発光素子と前記第２の発光素子とを点灯制御する制御部と、
を備え、
前記導光板は、前記画面エリアの４つの辺のうちの第１の辺に対応した第１の端面と、前記画面エリアの４つの辺のうちの前記第１の辺に直交する第２の辺に対応した第２の端面と、を有し、
前記第１の発光素子と前記第２の発光素子とは、前記第１の辺のみに沿って前記第１の辺から突出するように互いに隣接配置され、
前記第１の発光素子は、前記第１の発光素子からの光が前記第１の端面から前記第２の端面のうちの第１の反射領域に向かうように配置され、第１の光源と、前記第１の光源の第１の発生光を前記第１の反射領域に対応した第１の広がり角内の方向に出射させる第１の集光手段と、を有し、
前記第２の発光素子は、前記第２の発光素子からの光が前記第１の端面から前記第２の端面のうちの前記第１の反射領域とは異なる第２の反射領域に向かうように配置され、第２の光源と、前記第２の光源の第２の発生光を前記第２の反射領域に対応した第２の広がり角内の方向に出射させる第２の集光手段と、を有し、
前記導光板は、前記第１の反射領域に、前記第１の発光素子からの光を前記平面視において前記第１の辺に沿う方向に反射する第１の反射手段を有し、前記第２の反射領域に、前記第２の発光素子からの光を前記平面視において前記第１の辺に沿う方向に反射する第２の反射手段を有し、
前記制御部は、前記画面エリアのうちの前記第１の領域に画像データが書込まれている期間に、前記第１の発光素子を消灯するとともに前記第２の発光素子を点灯し、前記画面エリアのうちの前記第２の領域に画像データが書込まれている期間に、前記第１の発光素子を点灯するとともに前記第２の発光素子を消灯する、
ことを特徴とする液晶表示装置。
【請求項２】
前記第１の光源と前記第２の光源とは、発光ダイオードであり、前記第１の集光手段と前記第２の集光手段とは、レンズ部である、ことを特徴とする請求項１に記載の液晶表示装置。
【請求項３】
前記第１の反射手段と前記第２の反射手段とは、前記第２の辺に沿う方向に鋸歯状に形成された前記第２の端面に金属膜が被着されてなることを特徴とする請求項１又は２に記載の液晶表示装置。
【請求項４】
前記第１の発光素子は、前記第２の発光素子よりも前記第２の端面に近い位置に配置され、
前記第１の反射領域は、前記第２の反射領域よりも前記第１の端面に近い位置に設定されていることを特徴とする請求項１乃至３の何れかに記載の液晶表示装置。
【請求項５】
前記導光板は、前記第１の端面に、前記第１の発光素子に対応した第１の凹部と前記第２の発光素子に対応した第２の凹部とが設けられ、
前記第１の発光素子は、前記第１の凹部に向けて発光するように配置され、
前記第２の発光素子は、前記第２の凹部に向けて発光するように配置されていることを特徴とする請求項１乃至４の何れかに記載の液晶表示装置。
【請求項６】
前記第１の辺よりも前記第２の辺の方が長いことを特徴とする請求項１乃至５の何れかに記載の液晶表示装置。
【請求項７】
前記制御部は、前記第１の発光素子の発光開始タイミングと前記第２の発光素子の発光開始タイミングとが互いに異なるように前記第１の発光素子と前記第２の発光素子とを点滅させることを特徴とする請求項１乃至６の何れかに記載の液晶表示装置。
【請求項８】
前記制御部は、前記第１の発光素子の消灯タイミングと前記第２の発光素子の消灯タイミングとが互いに異なるように前記第１の発光素子と前記第２の発光素子とを点滅させることを特徴とする請求項７に記載の液晶表示装置。
【請求項９】
前記導光板の２つの板面のうちの前記液晶表示素子側の一方の板面には出射面が形成され、他方の板面には反射面が形成され、
前記反射面は、前記導光板の前記第１の反射領域と前記第２の反射領域とが形成された前記第２の端面に対して直交する方向に細長形状の複数のプリズム部が密なピッチで形成されたプリズム面を有し、
前記第１の反射領域または記第２の反射領域により反射された光を反射する前記複数のプリズム部の面の傾斜角は、前記第１の反射領域または前記第２の反射領域により反射された光のうちの前記プリズム部に入射した光を前記導光板の前記出射面の法線方向に反射する角度に設定されており、
前記第１の反射領域域により反射された光のうちの前記プリズム部に入射した光を、前記画面エリアのうちの前記第１の領域に向けて出射し、
前記第２の反射領域域により反射された光のうちの前記プリズム部に入射した光を、前記画面エリアのうちの前記第２の領域に向けて出射することを特徴とする請求項１乃至８の何れかに記載の液晶表示装置。
【発明の詳細な説明】
【技術分野】
【０００１】
この発明は、動画表示に適した液晶表示装置に関する。
【背景技術】
【０００２】
液晶表示装置は、光の透過率を制御する複数の画素が行方向及び列方向に配列された画面エリアを有し、前記複数の画素に行毎に順次画像データが書込まれ、その画像データに応じた画像を表示する液晶表示素子と、前記液晶表示素子の観察側とは反対側に配置され、前記液晶表示素子に向けて照明光を照射する光源と、により構成されている。
【０００３】
ところで、前記液晶表示装置は、１フレーム毎に、そのフレームに書込まれた画像データに対応した画像の表示をホールドするホールド表示であるため、テレビジョン画像等の動画表示において、表示の観察者に、前のフレームの表示画像の残像が次のフレームの表示画像と重なって見える表示のぼやけ感を与える。
【０００４】
このような動画表示のぼやけ対策としては、従来、前記液晶表示素子の観察側とは反対側に、前記液晶表示素子の画面エリアを複数行毎に区分した複数の画面領域にそれぞれ対応する複数本の直管状ランプを備えた光源を配置し、前記光源に、前記液晶表示素子の前記複数の画面領域に対してそれぞれ、その画面領域の各行の画素への画像データの書込み期間または前記書込み期間及びその後の一定期間に照明光の照射を中断し、他の期間に照明光を照射する間欠照射を行わせることにより、前記複数の画面領域の前記書込み期間または前記書込み期間及びその後の一定期間の表示を黒にし、前のフレームの表示画像の残像が次のフレームに残らないようにすることが提案されている（特許文献１参照）
【特許文献１】特開２００６−４８０７４号公報
【発明の開示】
【発明が解決しようとする課題】
【０００５】
しかし、液晶表示素子の観察側とは反対側に、複数本の直管状ランプを備えた光源を配置した液晶表示装置は、薄型化が難しい。
【０００６】
この発明は、ぼやけ感の無い良好な品質の動画を表示し、しかも薄型化をはかることができる液晶表示装置を提供することを目的としたものである。
【課題を解決するための手段】
【０００７】
上述した目的を達成するため、この発明の液晶表示装置の一様態は、画素が配列された平面視での形状が方形形状の画面エリアを有する液晶表示素子と、前記画面エリアに対向するように配置された１つのみの導光板と、前記画面エリアのうちの第１の領域に対応させて発光する第１の発光素子と、前記画面エリアのうちの前記第１の領域とは異なる第２の領域に対応させて発光する第２の発光素子と、前記第１の発光素子と前記第２の発光素子とを点灯制御する制御部と、を備え、前記導光板は、前記画面エリアの４つの辺のうちの第１の辺に対応した第１の端面と、前記画面エリアの４つの辺のうちの前記第１の辺に直交する第２の辺に対応した第２の端面と、を有し、前記第１の発光素子と前記第２の発光素子とは、前記第１の辺のみに沿って前記第１の辺から突出するように互いに隣接配置され、前記第１の発光素子は、前記第１の発光素子からの光が前記第１の端面から前記第２の端面のうちの第１の反射領域に向かうように配置され、第１の光源と、前記第１の光源の第１の発生光を前記第１の反射領域に対応した第１の広がり角内の方向に出射させる第１の集光手段と、を有し、前記第２の発光素子は、前記第２の発光素子からの光が前記第１の端面から前記第２の端面のうちの前記第１の反射領域とは異なる第２の反射領域に向かうように配置され、第２の光源と、前記第２の光源の第２の発生光を前記第２の反射領域に対応した第２の広がり角内の方向に出射させる第２の集光手段と、を有し、前記導光板は、前記第１の反射領域に、前記第１の発光素子からの光を前記平面視において前記第１の辺に沿う方向に反射する第１の反射手段を有し、前記第２の反射領域に、前記第２の発光素子からの光を前記平面視において前記第１の辺に沿う方向に反射する第２の反射手段を有し、前記制御部は、前記画面エリアのうちの前記第１の領域に画像データが書込まれている期間に、前記第１の発光素子を消灯するとともに前記第２の発光素子を点灯し、前記画面エリアのうちの前記第２の領域に画像データが書込まれている期間に、前記第１の発光素子を点灯するとともに前記第２の発光素子を消灯する、ことを特徴とする。
【発明の効果】
【００１１】
この発明の液晶表示装置によれば、ぼやけ感の無い良好な品質の動画を表示し、しかも薄型化をはかることができる。
【発明を実施するための最良の形態】
【００１２】
図１〜図４はこの発明の一実施例を示しており、図１は液晶表示装置の斜視図、図２は前記液晶表示装置を構成する面光源の平面図である。
【００１３】
この液晶表示装置は、図１のように、光の透過率を制御する複数の画素５が行方向及び列方向に配列された画面エリア６を有し、前記複数の画素５に行毎に順次画像データが書込まれ、その画像データに応じた画像を表示する液晶表示素子１と、前記液晶表示素子１を制御する表示制御回路８と、前記液晶表示素子１の観察側とは反対側に配置され、前記液晶表示素子１に向けて照明光を出射する面光源９と、前記面光源９を駆動するための光源駆動回路２０と、により構成されている。
【００１４】
前記液晶表示素子１は、その内部構造は図示しないが、予め定めた間隙を設けて対向配置され、前記画面エリア６を囲む枠状のシール材４を介して接合された観察側とその反対側の一対の透明基板２，３と、これらの基板２，３間の間隙の前記シール材４で囲まれた領域に封入された液晶層と、前記一対の基板２，３の外面にそれぞれ配置された一対の偏光板（図示せず）とからなっている。
【００１５】
この液晶表示素子１は、例えばＴＦＴ（薄膜トランジスタ）をアクティブ素子としたアクティブマトリックス液晶表示素子であり、一方の基板、例えば観察側とは反対側の基板３の内面に、行方向及び列方向にマトリックス状に配列させて形成された複数の透明な画素電極と、これらの画素電極にそれぞれ対応させて配置され、対応する画素電極に接続された複数のＴＦＴと、各行のＴＦＴにゲート信号を供給する複数の走査線と、各列のＴＦＴにデータ信号を供給する複数の信号線と、が設けられ、他方の基板、例えば観察側の基板２の内面に、前記複数の画素電極の配列領域に対向する一枚膜状の透明な対向電極が設けられている。
【００１６】
なお、前記反対側の基板３には、観察側基板２の外方に張出すドライバ搭載部３ａが形成されており、前記複数の走査線と信号線とは、前記ドライバ搭載部３ａに搭載された表示ドライバ７に接続され、前記対向電極は、前記シール材４による基板接合部に設けられた図示しないクロス接続部と前記ドライバ搭載部３ａに形成された図示しない対向電極接続線を介して対向電極電位の供給源とに接続されている。
【００１７】
さらに、図では省略しているが、前記観察側基板２の内面には、前記複数の画素電極と対向電極とが互いに対向する領域からなる複数の画素にそれぞれ対応させて、赤、緑、青の３色のカラーフィルタが設けられており、前記対向電極は、前記カラーフィルタの上に形成されている。また、前記一対の基板２，３の内面には、前記電極を覆って配向膜が設けられており、前記液晶層５の液晶分子は、前記一対の基板２，３間において、前記配向膜により規定される配向状態に配向している。
【００１８】
前記液晶表示素子１の観察側とは反対側に配置された面光源９は、図１及び図２のように、前記液晶表示素子１の少なくとも前記画面エリア６の全域に対応する矩形板状の透明部材からなり、前記行方向に対して平行な方向の２つの端面の一方に、光を入射させる複数、例えば３つの入射面１１ａ，１１ｂ，１１ｃが前記端面の長さ方向に予め定めた間隔で形成され、２つの板面のうちの前記液晶表示素子１に対向する板面に、前記入射面１１ａ，１１ｂ，１１ｃから入射した光の出射面１２が形成され、前記端面に対して直交する２つの側面の一方に、前記複数の入射面１１ａ，１１ｂ，１１ｃそれぞれから前記側面に向かって入射した光を前記行方向と実質的に平行な方向に反射する第１の反射面１３が形成され、前記出射面１２とは反対側の板面に、前記第１の反射面１３により反射された光を前記出射面１２に向けて反射する第２の反射面１６が形成された導光板１０と、前記導光板１０の前記複数の入射面１１ａ，１１ｂ，１１ｃにそれぞれ対向させて配置され、それぞれが、前記第１の反射面１３の長さを前記入射面１１ａ，１１ｂ，１１ｃの数に対応する数に区分した複数（この実施例では３つ）の反射領域１３ａ，１３ｂ，１３ｃのうちの前記対向する入射面に対応した１つの反射領域に向けて光を発する複数の発光素子１９ａ，１９ｂ，１９ｃと、により構成されている。
【００１９】
前記導光板１０は、アクリル樹脂板等からなっており、この導光板１０の出射面１２は平坦面に形成され、前記複数の入射面１１ａ，１１ｂ，１１ｃは、前記導光板１０の端面を例えば半円状に凹入させて形成されている。
【００２０】
また、前記導光板１０の第１の反射面１３は、前記導光板１０の複数の入射面１１ａ，１１ｂ，１１ｃが形成された端面と直交する方向に対して前記端面から遠くなる方向に向かって前記導光板１０の内方に傾斜した傾斜面１４が、前記導光板１０の側面の長さ方向に密なピッチで形成された鋸歯状面からなっており、この第１の反射面１３の外面に、高反射率金属の蒸着またはメッキ膜からなる反射膜１５が被着されている。
【００２１】
そして、前記第１の反射面１３の複数の傾斜面１４の傾斜角はそれぞれ、前記複数の入射面１１ａ，１１ｂ，１１ｃそれぞれから前記第１の反射面１３に向かって入射した光のうちの前記傾斜面１４に入射した光を前記行方向と実質的に平行な方向に反射する角度に設定されている。
【００２２】
さらに、前記導光板１０の第２の反射面１６は、前記導光板１０の第１の反射面１３が形成された側面に対して直交する方向と平行な細長形状の複数のプリズム部１７が密なピッチで形成されたプリズム面からなっており、この第２の反射面１６の外側に、前記反射面１６からの漏れ光を導光板１０内に戻すための反射板１８が配置されている。
【００２３】
そして、前記第２の反射面１６の複数のプリズム部１７の前記第１の反射面１３により反射された光を反射する面の傾斜角はそれぞれ、前記第１の反射面１３により反射された光のうちの前記プリズム部１７に入射した光を前記導光板１０の出射面１２の法線方向と実質的に平行な方向に反射する角度に設定されている。
【００２４】
また、前記複数の発光素子１９ａ，１９ｂ，１９ｃは、前記導光板１０の端面を凹入させて形成された前記複数の入射面１１ａ，１１ｂ，１１ｃにそれぞれ対応する凹入部内に、前記第１の反射面１３の長さを前記入射面１１ａ，１１ｂ，１１ｃの数に対応する数に区分した複数の反射領域１３ａ，１３ｂ，１３ｃのうちの、これらの発光素子１９ａ，１９ｂ，１９ｃがそれぞれ対向する入射面に対応した１つの反射領域に向けて光を発するように配置されている。
【００２５】
この複数の発光素子１９ａ，１９ｂ，１９ｃは、その構造は図示しないが、例えば擬似白色光を発するＬＥＤ（発光ダイオード）と、前記ＬＥＤの発生光を予め定めた広がり角内の方向に均等な強度分布で出射させるレンズ部とからなっている。
【００２６】
前記面光源９は、前記複数の発光素子１９ａ，１９ｂ，１９ｃの点灯により、前記導光板１０に前記複数の入射面１１ａ，１１ｂ，１１ｃから入射して前記第１の反射面１３の複数の反射領域１３ａ，１３ｂ，１３ｃにより反射され、さらに前記第２の反射面１６により反射された光を、前記導光板１０の前記出射面１２から、前記液晶表示素子１の画面エリア６を前記第１の反射面１３の複数の反射領域１３ａ，１３ｂ，１３ｃの長さに対応した行数毎に区分した複数の画面領域６ａ，６ｂ，６ｃそれぞれに向けて照射する。
【００２７】
図３は前記面光源９からの照明光の出射光線図であり、ここでは、前記導光板１０の複数の入射面１１ａ，１１ｂ，１１ｃのうちの図２において左側の１つの入射面１１ａから入射した光の出射光線を示している。
【００２８】
なお、前記導光板１０の一端面に形成された複数の入射面１１ａ，１１ｂ，１１ｃにそれぞれ対向させて配置された複数の発光素子１９ａ，１９ｂ，１９ａが発する光はいずれも、前記導光板１０の一側面に形成された鋸歯状面からなる第１の反射面１３の長さ方向及び幅方向（導光板１０の厚さ方向）に広がる光であり、これらの発光素子１９ａ，１９ｂ，１９ａのうちの図２において左側の第１入射面１１ａに対向させて配置された第１発光素子１９ａが発する光の前記第１の反射面１３の長さ方向の広がりは、前記第１の反射面１３の複数の反射領域１３ａ，１３ｂ，１３ｃのうちの図２において上側（入射面１１ａ，１１ｂ，１１ｃが形成された端面側）の第１反射領域１３ａの全体に広がる範囲に規定され、中央の第２入射面１１ｂに対向させて配置された第２発光素子１９ｂが発する光の前記第１の反射面１３の長さ方向の広がりは、前記第１の反射面１３の中央の第２反射領域１３ｂの全体に広がる範囲に規定され、図２において右側の第３入射面１１ｃに対向させて配置された第３発光素子１９ｃが発する光の前記第１の反射面１３の長さ方向の広がりは、図２において下側の第３反射領域１３ｃの全体に広がる範囲に規定されている。
【００２９】
そして、前記複数の発光素子１９ａ，１９ｂ，１９ａが発する光はそれぞれ、前記導光板１０に、これらの発光素子１９ａ，１９ｂ，１９ａが対向する前記入射面１１ａ，１１ｂ，１１ｃから入射し、前記導光板１０内を直進するか、或いは図３のように前記導光板１０の出射面１２及びその反対面の前記プリズム面からなる第２の反射面１６により内面反射されて導光板１０内を進み、前記入射面１１ａ，１１ｂ，１１ｃに対応する反射領域１３ａ，１３ｂ，１３ｃの全体にそれぞれ入射する。
【００３０】
図３のように、前記導光板１０の複数の入射面１１ａ，１１ｂ，１１ｃのうちの前記第１入射面１１ａから入射した光は、前記導光板１０の第１の反射面１３の複数の反射領域１３ａ，１３ｂ，１３ｃのうちの前記第１反射領域１３ａの全体に入射する。
【００３１】
そして、前記第１の反射面１３の前記第１反射領域１３ａに入射した光は、この第１反射領域１３ａの複数の傾斜面１４によりそれぞれ前記行方向と実質的に平行な方向に反射され、その光が、直接または前記出射面１２により内面反射されて前記第２の反射面１６の複数のプリズム部１７のいずれかに入射し、これらのプリズム部１７により前記出射面１２の法線方向と実質的に平行な方向に内面反射され、前記出射面１２のうちの前記第１の反射面１３の前記第１反射領域１３ａに対応する第１出射領域１２ａから、前記液晶表示素子１の前記複数の画面領域６ａ，６ｂ，６ｃのうちの上側の第１画面領域６ａに向かって出射する（図１及び図２参照）。
【００３２】
同様に、前記導光板１０に図２において中央の第２入射面１１ｂから入射した光は、前記第１の反射面１３の中央の第２反射領域１３ａの全体に入射してこの第２反射領域１３ｂの複数の傾斜面１４によりそれぞれ前記行方向と実質的に平行な方向に反射され、さらに前記第２の反射面１６の複数のプリズム部１７により前記出射面１２の法線方向と実質的に平行な方向に内面反射され、前記出射面１２のうちの前記第１の反射面１３の前記第２反射領域１３ｂに対応する第２出射領域１２ｂから、前記液晶表示素子１の前記複数の画面領域６ａ，６ｂ，６ｃのうちの中央の第２画面領域６ｂに向かって出射する（図１及び図２参照）。
【００３３】
また、前記導光板１０に図２において右側の第３入射面１１ｃから入射した光は、前記第１の反射面１３の図２において下側の第３反射領域１３ｃの全体に入射してこの第３反射領域１３ｃの複数の傾斜面１４によりそれぞれ前記行方向と実質的に平行な方向に反射され、さらに前記第２の反射面１６の複数のプリズム部１７により前記出射面１２の法線方向と実質的に平行な方向に内面反射され、前記出射面１２のうちの前記第１の反射面１３の前記第３反射領域１３ｃに対応する第３出射領域１２ｃから、前記液晶表示素子１の前記複数の画面領域６ａ，６ｂ，６ｃのうちの下側の第３画面領域６ｃに向かって出射する（図１及び図２参照）。
【００３４】
一方、前記表示制御回路８は、その具体的な構成は図示しないが、外部から供給された同期信号と画像信号とを含む画像データを前記液晶表示素子１に搭載された表示ドライバ７に供給するとともに、前記画像データのうちの同期信号を前記光源駆動回路２０に供給するように構成されている。
【００３５】
また、前記光源駆動回路２０は、その具体的な構成は図示しないが、前記表示制御回路８から供給された前記同期信号に基づき、前記液晶表示素子１の前記複数の画面領域６ａ，６ｂ，６ｃ毎に、それぞれの画面領域６ａ，６ｂ，６ｃに対応する複数の行の画素５への画像データの書込み期間にその画面領域に対応する前記発光素子を消灯させ、その他の期間にその画面領域に対応する前記発光素子を点灯させるように各光源素子１９ａ，１９
ｂ，１９ｃ毎に制御する。
【００３６】
図４は前記面光源９からの照明光の照射期間を示しており、前記液晶表示素子１の第１画面領域６ａへの画像データ書込み中は、図４（ａ）のように、前記面光源９から前記第１画面領域６ａ以外の第２及び第３画面領域６ｂ，６ｃに向けて照明光が照射され、第２画面領域６ｂへの画像データ書込み中は、図４（ｂ）のように、前記面光源９から前記第２画面領域６ｂ以外の第１及び第３画面領域６ａ，６ｃに向けて照明光が照射され、第３画面領域６ｃへの画像データ書込み中は、図４（ｃ）のように、前記面光源９から前記第３画面領域６ｃ以外の第１及び第２画面領域６ａ，６ｂに向けて照明光が照射される。
【００３７】
この液晶表示装置は、前記面光源９と光源駆動回路２０を備え、前記面光源９に、前記液晶表示素子１の前記複数の画面領域６ａ，６ｂ，６ｃに対してそれぞれ、その画面領域の各行の画素５への画像データの書込み期間に前記照明光の照射を中断し、他の期間に前記照明光を照射する間欠照射を行わせるようにしているため、前記複数の画面領域６ａ，６ｂ，６ｃの前記書込み期間の表示を黒にし、前のフレームの表示画像の残像が次のフレームに残らないようにすることができ、したがって、ぼやけ感の無い良好な品質の動画を表示することができる。
【００３８】
しかも、この液晶表示装置は、前記面光源９を、前記液晶表示素子１の少なくとも画面エリア６の全域に対応する矩形板状の透明部材からなり、前記液晶表示素子１の画面エリア６の行方向に対して平行な方向の２つの端面の一方に、光を入射させる複数の入射面１１ａ，１１ｂ，１１ｃが前記端面の長さ方向に予め定めた間隔で形成され、２つの板面のうちの前記液晶表示素子１に対向する板面に、前記入射面１１ａ，１１ｂ，１１ｃから入射した光の出射面１２が形成され、前記端面に対して直交する２つの側面の一方に、前記複数の入射面１１ａ，１１ｂ，１１ｃそれぞれから前記側面に向かって入射した光を前記行方向と実質的に平行な方向に反射する第１の反射面１３が形成され、前記出射面１２とは反対側の板面に、前記第１の反射面１３により反射された光を前記出射面１２に向けて反射する第２の反射面１６が形成された導光板１０と、前記導光板１０の前記複数の入射面１１ａ，１１ｂ，１１ｃにそれぞれ対向させて配置され、それぞれが、前記第１の反射面１３の長さを前記入射面１１ａ，１１ｂ，１１ｃの数と同数に区分した複数の反射領域１３ａ，１３ｂ，１３ｃのうちの互いに異なる１つの反射領域に向けてその反射領域全体に広がる光を発する複数の発光素子１９ａ，１９ｂ，１９ｃと、により構成しているため、この面光源９を薄くし、液晶表示装置の薄型化をはかることができる。
【００３９】
しかも、上記実施例の面光源９は、前記導光板１０の複数の入射面１１ａ，１１ｂ，１１ｃを、前記導光板１０の端面を凹入させて形成し、その凹入部内に前記発光素子１９ａ，１９ｂ，１９ｃを配置しているため、前記導光板１０の外方への前記発光素子１９ａ，１９ｂ，１９ｃのはみ出しを小さくし、この面光源９の平面積を小さく抑えることができる。
【００４０】
また、上記実施例の面光源９は、前記導光板１０の第１の反射面１３を、前記導光板１０の複数の入射面１１ａ，１１ｂ，１１ｃが形成された端面と直交する方向に対して前記端面から遠くなる方向に向かって前記導光板１０の内方に傾斜した傾斜面１４が前記導光板１０の側面の長さ方向に密なピッチで形成された鋸歯状面とし、これらの傾斜面１４の傾斜角をそれぞれ、前記複数の入射面１１ａ，１１ｂ，１１ｃそれぞれから前記第１の反射面１３に向かって入射した光のうちの前記傾斜面１４に入射した光を前記行方向と実質的に平行な方向に反射する角度に設定しているため、前記複数の入射面１１ａ，１１ｂ，１１ｃそれぞれから前記側面に向かって入射した光のほとんどを、前記行方向と実質的に平行な方向に反射することができる。
【００４１】
さらに、上記実施例の面光源９は、前記導光板１０の第２の反射面１６を、前記導光板１０の第１の反射面１３が形成された側面に対して直交する方向と平行な細長形状の複数のプリズム部１７が密なピッチで形成されたプリズム面に形成し、前記複数のプリズム部１７の前記第１の反射面１３により反射された光を反射する面の傾斜角をそれぞれ、前記第１の反射面１３により反射された光のうちの前記プリズム部１７に入射した光を前記導光板１０の出射面１２の法線方向と実質的に平行な方向に反射する角度に設定しているため、前記導光板１０に前記複数の入射面１１ａ，１１ｂ，１１ｃから入射して前記第１の反射面１３の複数の反射領域１３ａ，１３ｂ，１３ｃにより反射された光を、前記導光板１０の前記出射面１２から、前記液晶表示素子１の複数の画面領域６ａ，６ｂ，６ｃそれぞれに向けて、これらの画面領域６ａ，６ｂ，６ｃの全域にわたって光強度が均一な強度分布の照明光を集中的に照射することができる。
【００４２】
なお、上記実施例では、前記面光源９から、前記液晶表示素子１の画面エリア６を３つに区分した第１〜第３画面領域３ａ，３ｂ，３ｃに向けてそれぞれ照明光を照射させるようにしているが、前記面光源９は、前記液晶表示素子１の画面エリア６を少なくとも２つ以上に区分した画面領域に向けてそれぞれ照明光を照射するように構成すればよい。
【００４３】
また、上記実施例では、前記面光源９に、前記液晶表示素子１の前記複数の画面領域６ａ，６ｂ，６ｃに対してそれぞれ、その画面領域の各行の画素５への画像データの書込み期間に照明光の照射を中断し、他の期間に照明光を照射する間欠照射を行わせるようにしているが、前記面光源９に、前記液晶表示素子１の前記複数の画面領域６ａ，６ｂ，６ｃに対してそれぞれ、その画面領域の各行の画素５への画像データの書込み期間及びその後の一定期間、つまり液晶分子が書き込まれた画像データに対してある程度以上応答動作するまでの期間に照明光の照射を中断し、他の期間に照明光を照射する間欠照射を行わせるようにしてもよく、このようにすることにより、液晶の応答性による表示のちらつきを無くし、さらに良好な品質の動画を表示することができる。
【００４４】
その場合は、前記面光源９を、前記液晶表示素子１の画面エリア６を少なくとも３つ以上に区分した複数の画面領域に向けてそれぞれ照明光を照射するように構成すればよく、例えば上記実施例のように、前記面光源９を、前記液晶表示素子１の画面エリア６を３つに区分した第１〜第３画面領域６ａ，６ｂ，６ｃに向けてそれぞれ照明光を照射するように構成し、前記画像データの書込み後の液晶分子の応答待ち時間を１つの画面領域に対する書込み期間と同じに設定する場合は、前記第１画面領域６ａへの画像データ書込み中に、前記面光源９から第１及び第２画面領域６ａ，６ｂ以外の第３画面領域６ｃに向けて照明光を照射し、第２画面領域６ｂへの画像データ書込み中に、前記面光源９から第２及び第３画面領域６ｂ，６ｃ以外の第１画面領域６ａに向けて照明光を照射し、第３画面領域６ｃへの画像データ書込み中に、前記面光源９から第３及び第１画面領域６ｃ，６ａ以外の第２画面領域６ｂに向けて照明光を照射する。
【００４５】
さらに、上記実施例では、前記面光源９の導光板１０の２つの端面の一方に複数の入射面１１ａ，１１ｂ，１１ｃを形成し、２つの側面の一方に第１の反射面１３を形成しているが、前記導光板１０の２つの端面の一方に、前記実施例の２倍の数の入射面を形成し、２つの側面にそれぞれ第１の反射面を形成し、前記入射面のうちの半数の入射面にそれぞれ対向させて、一方の側面の第１の反射面の長さを前記半数の入射面の数に対応する数に区分した複数の反射領域のうちの前記対向する入射面に対応した１つの反射領域に向けてその反射領域全体に広がる光を発する複数の発光素子を配置し、他の半数の入射面にそれぞれ対向させて、他方の側面の第１の反射面の長さを前記他の半数の入射面の数に対応する数に区分した複数の反射領域のうちの前記対向する入射面に対応した１つの反射領域に向けてその反射領域全体に広がる光を発する複数の発光素子を配置してもよい。
【００４６】
また、前記面光源９の導光板１０の２つの端面にそれぞれ複数の入射面を形成するとともに、２つの側面にそれぞれ第１の反射面を形成し、一方の端面の複数の入射面にそれぞれ対向させて、一方の側面の第１の反射面の長さを前記一方の端面の入射面の数に対応する数に区分した複数の反射領域のうちの前記対向する入射面に対応した１つの反射領域に向けてその反射領域全体に広がる光を発する複数の発光素子を配置し、他方の端面の複数の入射面にそれぞれ対向させて、他方の側面の第１の反射面の長さを前記他方の端面の入射面の数に対応する数に区分した複数の反射領域のうちの前記対向する入射面に対応した１つの反射領域に向けてその反射領域全体に広がる光を発する複数の発光素子を配置してもよい。
【図面の簡単な説明】
【００４７】
【図１】この発明の一実施例を示す液晶表示装置の斜視図。
【図２】前記液晶表示装置を構成する面光源の平面図。
【図３】前記面光源からの照明光の出射光線図。
【図４】前記面光源からの照明光の照射期間を示す図。
【符号の説明】
【００４８】
１…液晶表示素子、５…画素、６…画面エリア、６ａ，６ｂ，６ｃ…画面領域、９…面光源、１０…導光板、１１ａ，１１ｂ，１１ｃ…入射面、１２…出射面、１２ａ，１２ｂ，１２ｃ…出射領域、１３…第１の反射面、１３ａ，１３ｂ，１３ｃ…反射領域、１４…傾斜面、１５…反射膜、１６…第２の反射面、１７…プリズム部、１８…反射板、１９ａ，１９ｂ，１９ｃ…発光素子、２０…光源駆動回路。
【図１】
0005163074.tif 000002
【図２】
0005163074.tif 000003
【図３】
0005163074.tif 000004
【図４】
0005163074.tif 000005